(57)【特許請求の範囲】
【請求項１】
マーク転写テープ上の転写マークを紙面等に転写するためのマーク転写具であって、
片手による手持ち操作可能なケースと、
このケース内に回転可能に装着されて、マーク転写テープを巻装した繰出リールと、
前記ケース内に回転可能に装着されて、使用後のマーク転写テープを回収する回転可能な巻取リールと、
前記ケースの先端部分に配設されて、前記繰出リールから繰出されるマーク転写テープを被転写部上に加圧転写する転写ヘッドとを備えてなり、
前記マーク転写テープは、基材テープの表面に、感圧接着性を有する転写マークが所定間隔をもって連続的にかつ剥離可能に配置保持されるとともに、各転写マーク間には、転写マークの区切り位置を示す区切り体感手段が配されており、
前記転写ヘッドのテープ走行部に、前記マーク転写テープの区切り体感手段と係合可能な体感用係合部が設けられている
ことを特徴とするマーク転写具。
【請求項２】
前記区切り体感手段は、前記マーク転写テープにおいて相隣接する転写マーク間に形成された体感用滑り部であるとともに、前記体感用係合部は、前記転写ヘッドの先端縁であり、
マーク転写動作において、前記体感用滑り部が前記転写ヘッドの先端縁に係合したとき、この係合部位に滑り現象が生じて、一つの転写マークの転写完了位置を体感表示するように構成されている
ことを特徴とする請求項１に記載のマーク転写具。
【請求項３】
前記体感用滑り部は、前記マーク転写テープの表面側に配されており、
マーク転写動作において、前記体感用滑り部が前記転写ヘッドの先端縁に係合したとき、前記体感用滑り部と前記被転写部との間に滑りが生じて、一つの転写マークの転写完了位置を体感表示するように構成されている
ことを特徴とする請求項２に記載のマーク転写具。
【請求項４】
前記区切り体感手段は、前記マーク転写テープにおいて相隣接する転写マーク間に形成された体感用凹部であるとともに、前記体感用係合部は、前記転写ヘッドに設けられた位置決め凸部であり、
マーク転写動作において、前記体感用凹部が前記位置決め凸部に係合したとき、前記マーク転写テープの走行動作に引っ掛かり現象が生じて、一つの転写マークの転写完了位置を体感表示するように構成されている
ることを特徴とする請求項１に記載のマーク転写具。
【請求項５】
前記体感用凹部が、前記マーク転写テープの幅方向の少なくとも一端部に設けられた円弧形状の切欠であるとともに、前記位置決め凸部がこの切欠に対応した円弧輪郭形状を備える
ことを特徴とする請求項４に記載のマーク転写具。
【請求項６】
前記体感用凹部が、前記マーク転写テープの幅方向の中央部に設けられた円形状の小孔であるとともに、前記位置決め凸部がこの小孔に対応した円形輪郭形状を備える
ことを特徴とする請求項４に記載のマーク転写具。
【請求項７】
前記体感用凹部が、前記マーク転写テープの幅方向の中央部に設けられた円形状の凹陥部であるとともに、前記位置決め凸部がこの凹陥部に対応した円形輪郭形状を備える
ことを特徴とする請求項４に記載のマーク転写具。
【請求項８】
前記区切り体感手段は、前記マーク転写テープにおいて相隣接する転写マーク間に形成された複数の体感用凸部であるとともに、前記体感用係合部は、前記転写ヘッドに設けられた位置決め凸部であり、
マーク転写動作において、前記複数の体感用凸部間に前記位置決め凸部が係合したとき、前記マーク転写テープの走行動作に引っ掛かり現象が生じて、一つの転写マークの転写完了位置を体感表示するように構成されている
ることを特徴とする請求項１に記載のマーク転写具。
【請求項９】
前記複数の体感用凸部が前記マーク転写テープの表面側に配されるとともに、前記体感用係合部が前記転写ヘッドの先端縁であり、
マーク転写動作において、前記複数の体感用凸部に前記転写ヘッドの先端縁が係合したとき、前記マーク転写テープの走行動作に引っ掛かり現象が生じて、一つの転写マークの転写完了位置を体感表示するように構成されている
ことを特徴とする請求項８に記載のマーク転写具。
【請求項１０】
前記複数の体感用凸部が前記マーク転写テープの裏面側に配されるとともに、前記体感用係合部が前記転写ヘッドの先端縁であり、
マーク転写動作において、前記複数の体感用凸部に前記転写ヘッドの先端縁が係合したとき、前記マーク転写テープの走行動作に引っ掛かり現象が生じて、一つの転写マークの転写完了位置を体感表示するように構成されている
ことを特徴とする請求項８に記載のマーク転写具。
【請求項１１】
少なくとも前記繰出リールおよび前記巻取リールを備えるテープカートリッジが、前記ケース内に取外し交換可能に装着されて、マーク転写テープの交換が可能な構造を備えてなるリフィルタイプとされている
ことを特徴とする請求項１から１０のいずれか一つに記載のマーク転写具。
【請求項１２】
前記ケース内に、前記繰出リールおよび前記巻取リールが装着されるとともに、前記ケースの先端部に、前記転写ヘッドが設けられてなる使い切りタイプとされている
ことを特徴とする請求項１から１０のいずれか一つに記載のマーク転写具。
【請求項１３】
転写マークを紙面等に転写するためのマーク転写具に装填使用されるマーク転写テープであって、
基材テープの表面に、感圧接着性を有する転写マークが所定間隔をもって連続的にかつ剥離可能に配置保持されるとともに、各転写マーク間に、転写マークの区切り位置を示す区切り体感手段が配されてなり、
この区切り体感手段は、前記マーク転写具のマーク転写動作において、前記マーク転写具の転写ヘッドに設けられた体感用係合部に係合したとき、一つの転写マークの区切り位置を体感表示する配置構成とされている
ことを特徴とするマーク転写テープ。
【請求項１４】
裏面が離型処理された前記基材テープの表面側に、多数の前記転写マークからなる転写マーク層が剥離可能に粘着保持されてなる
ことを特徴とする請求項１３に記載のマーク転写テープ。
【請求項１５】
裏面が離型処理された前記基材テープの表面側に、多数の前記転写マークからなる転写マーク層が剥離可能にかつ切断可能に粘着保持されてなる
ことを特徴とする請求項１３に記載のマーク転写テープ。
【請求項１６】
前記転写マーク層は、加圧接着性を有する透明性材料からなる感圧接着剤層と、前記基材テープの走行方向へ所定間隔をもって連続的に配列されてなる多数のマークからなるマーク配列層とが一体的に積層形成されてなり、
この転写マーク層が、前記基材テープの離型処理された表面に、前記感圧接着剤層を介して剥離可能にかつ切断可能に粘着保持されている
ことを特徴とする請求項１４または１５に記載のマーク転写テープ。
【請求項１７】
前記転写マーク層は、接着性を有する透明性材料からなる被マーク形成層と、前記基材テープの走行方向へ所定間隔をもって連続的に配列されてなる多数のマークからなるマーク配列層と、加圧接着性を有する透明性材料からなる感圧接着剤層とが一体的に積層されてなり、
この転写マーク層が、前記基材テープの離型処理された表面に、前記被マーク形成層を介して剥離可能にかつ切断可能に粘着保持されている
ことを特徴とする請求項１４または１５に記載のマーク転写テープ。
【請求項１８】
前記転写マーク層は、前記基材テープの走行方向へ所定間隔をもって連続的に配列されてなる多数のマークからなるマーク配列層と、加圧接着性を有する透明性材料からなる感圧接着剤層とが一体的に積層されてなり、この転写マーク層が、前記基材テープの離型処理された表面に、前記マーク配列層を介して剥離可能にかつ切断可能に粘着保持されている
ことを特徴とする請求項１４または１５に記載のマーク転写テープ。
【請求項１９】
前記転写マーク層は、前記基材テープの走行方向へ所定間隔をもって連続的に配列されてなる多数のマークからなるマーク配列層と、加圧接着性を有する透明性材料からなる感圧接着剤層とが一体的に積層されてなり、この転写マーク層が、前記基材テープの接着処理された表面に、前記マーク配列層を介して剥離可能にかつ切断可能に粘着保持されている
ことを特徴とする請求項１４または１５に記載のマーク転写テープ。
【請求項２０】
前記区切り体感手段は、相隣接する前記転写マーク層間における前記基材テープの表面からなる体感用滑り部であり、
前記マーク転写動作において、前記体感用滑り部が前記マーク転写具の転写ヘッドの先端縁に係合したとき、前記体感用滑り部と前記被転写部との間に滑りが生じて、一つの転写マークの転写完了位置を体感表示するように構成されていることを特徴とする請求項１４に記載のマーク転写テープ。
【請求項２１】
前記区切り体感手段は、前記転写マーク層の表面に、相隣接する転写マーク間に対応して形成された体感用滑り部であり、
前記マーク転写動作において、前記体感用滑り部が前記マーク転写具の転写ヘッドの先端縁に係合したとき、前記体感用滑り部と前記被転写部との間に滑りが生じて、一つの転写マークの区切り位置を体感表示するように構成されている
ことを特徴とする請求項１５から１９のいずれか一つに記載のマーク転写テープ。
【請求項２２】
前記区切り体感手段は、前記基材テープの裏面に、相隣接する転写マーク間に形成された体感用凹部であり、
前記マーク転写動作において、前記体感用凹部が前記マーク転写具の転写ヘッドに設けられた前記体感用係合部に凹凸係合したとき、テープ走行動作に引っ掛かり現象が生じて、一つの転写マークの区切り位置を体感表示するように構成されている
ことを特徴とする請求項１４から１９のいずれか一つに記載のマーク転写テープ。
【請求項２３】
前記体感用凹部が、前記基材テープの幅方向の少なくとも一端部に設けられた円弧形状の切欠であり、この切欠に対応した円弧輪郭形状を備える前記転写ヘッドの前記体感用係合部に凹凸係合可能とされている
ことを特徴とする請求項２２に記載のマーク転写テープ。
【請求項２４】
前記体感用凹部が、前記マーク転写テープの幅方向の中央部に設けられた円形状の小孔であり、この小孔に対応した円形輪郭形状を備える前記転写ヘッドの前記体感用係合部に凹凸係合可能とされている
ことを特徴とする請求項２２に記載のマーク転写テープ。
【請求項２５】
前記体感用凹部が、前記マーク転写テープの幅方向の中央部に設けられた円形状の凹陥部であり、この凹陥部に対応した円形輪郭形状を備える前記転写ヘッドの前記体感用係合部に凹凸係合可能とされている
ことを特徴とする請求項２２に記載のマーク転写テープ。
【請求項２６】
前記区切り体感手段は、前記マーク転写テープにおいて相隣接する転写マーク間に形成された複数の体感用凸部であり、
前記マーク転写動作において、前記複数の体感用凸部間に前記マーク転写具の転写ヘッドに設けられた前記体感用係合部が凹凸係合したとき、テープ走行動作に引っ掛かり現象が生じて、一つの転写マークの転写完了位置を体感表示するように構成されている
ことを特徴とする請求項１４から１９のいずれか一つに記載のマーク転写テープ。
【請求項２７】
前記複数の体感用凸部が前記転写マーク層の表面に配され、
前記マーク転写動作において、前記複数の体感用凸部に前記マーク転写具の転写ヘッドの先端縁が係合したとき、テープ走行動作に引っ掛かり現象が生じて、一つの転写マークの転写完了位置を体感表示するように構成されている
ことを特徴とする請求項２６に記載のマーク転写テープ。
【請求項２８】
前記複数の体感用凸部が前記基材テープの裏面に配され、前記マーク転写動作において、前記複数の体感用凸部に前記マーク転写具の転写ヘッドの先端縁が係合したとき、テープ走行動作に引っ掛かり現象が生じて、一つの転写マークの転写完了位置を体感表示するように構成されている
ことを特徴とする請求項２６に記載のマーク転写テープ。
【発明の詳細な説明】
【０００１】
【発明の属する技術分野】
本発明は、マーク転写具およびマーク転写テープに関し、さらに詳細には、マーク転写テープ上に配列形成された文字、符号または図形あるいはこれらの組み合わせ等の薄膜状の転写マークを紙面等に転写するためのマーク転写技術に関する。
【０００２】
【従来の技術】
一般に、文字、符号または図形あるいはこれらの組み合わせ等からなる各種マークは、スタンプの形態とされて、インクにより紙面等の対象表面に押印使用されたり、あるいは、マークシールの形態とされて、紙面等に貼着使用される。
【０００３】
【発明が解決しようとする課題】
ところで、近時の技術革新および一般ユーザの嗜好の多様化に伴い、各種技術分野において製品の多種多様化が叫ばれており、この傾向は各種マークを扱う文具業界においても例外ではなかった。
【０００４】
本発明はかかる従来の問題点に鑑みてなされたものであって、その目的とするところは、塗膜転写技術を利用することにより、文字、符号または図形あるいはこれらの組み合わせ等からなる各種マークについて、従来のマーク使用技術と全く異なる新規なマーク転写技術を提供することにある。
【０００５】
【課題を解決するための手段】
この目的を達成するため、本発明のマーク転写具は、マーク転写テープ上の転写マークを紙面等に転写するためのマーク転写具であって、片手による手持ち操作可能なケースと、このケース内に回転可能に装着されて、マーク転写テープを巻装した繰出リールと、上記ケース内に回転可能に装着されて、使用後のマーク転写テープを回収する回転可能な巻取リールと、上記ケースの先端部分に配設されて、上記繰出リールから繰出されるマーク転写テープを被転写部上に加圧転写する転写ヘッドとを備えてなり、上記マーク転写テープは、基材テープの表面に、感圧接着性を有する転写マークが所定間隔をもって連続的にかつ剥離可能に配置保持されるとともに、各転写マーク間には、転写マークの区切り位置を示す区切り体感手段が配されており、上記転写ヘッドのテープ走行部に、上記マーク転写テープの区切り体感手段と係合可能な体感用係合部が設けられていることを特徴とする。
【０００６】
好適な実施態様として、上記区切り体感手段と体感用係合部には、次のような各種態様が採用される。
【０００７】
(1) 上記区切り体感手段は、上記マーク転写テープにおいて相隣接する転写マーク間に形成された体感用滑り部であるとともに、上記体感用係合部は、上記転写ヘッドの先端縁であり、マーク転写動作において、上記体感用滑り部が上記転写ヘッドの先端縁に係合したとき、この係合部位に滑り現象が生じて、一つの転写マークの転写完了位置を体感表示するように構成されている。
【０００８】
(2) 上記区切り体感手段は、上記マーク転写テープにおいて相隣接する転写マーク間に形成された体感用凹部であるとともに、上記体感用係合部は、上記転写ヘッドに設けられた位置決め凸部であり、マーク転写動作において、上記体感用凹部が上記位置決め凸部に係合したとき、上記マーク転写テープの走行動作に引っ掛かり現象が生じて、一つの転写マークの転写完了位置を体感表示するように構成されている。
【０００９】
(3) 上記区切り体感手段は、上記マーク転写テープにおいて相隣接する転写マーク間に形成された複数の体感用凸部であるとともに、上記体感用係合部は、上記転写ヘッドに設けられた位置決め凸部であり、マーク転写動作において、上記複数の体感用凸部間に上記位置決め凸部が係合したとき、上記マーク転写テープの走行動作に引っ掛かり現象が生じて、一つの転写マークの転写完了位置を体感表示するように構成されている。
【００１０】
また、マーク転写具の動作基本構成としては、少なくとも上記繰出リールおよび上記巻取リールを備えるテープカートリッジが、上記ケース内に取外し交換可能に装着されて、マーク転写テープの交換が可能な構造を備えてなるリフィルタイプか、あるいは、上記ケース内に、上記繰出リールおよび上記巻取リールが装着されるとともに、上記ケースの先端部に、上記転写ヘッドが設けられてなる使い切りタイプが採用される。
【００１１】
また、本発明のマーク転写テープは、上記マーク転写具に好適に装填使用されるものであって、基材テープの表面に、感圧接着性を有する転写マークが所定間隔をもって連続的にかつ剥離可能に配置保持されるとともに、各転写マーク間に、転写マークの区切り位置を示す区切り体感手段が配されてなり、この区切り体感手段は、上記マーク転写具のマーク転写動作において、上記マーク転写具の転写ヘッドに設けられた体感用係合部に係合したとき、一つの転写マークの区切り位置を体感表示する配置構成とされている。
【００１２】
好適な実施態様として、本発明のマーク転写テープは、裏面が離型処理された上記基材テープの表面側に、多数の上記転写マークからなる転写マーク層が、剥離可能に、または剥離可能かつ切断可能に粘着保持されてなり、具体的には、次のような積層構造が採用される。
【００１３】
i)  上記転写マーク層は、加圧接着性を有する透明性材料からなる感圧接着剤層と、上記基材テープの走行方向へ所定間隔をもって連続的に配列されてなる多数のマークからなるマーク配列層とが一体的に積層形成されてなり、この転写マーク層が、上記基材テープの離型処理された表面に、上記感圧接着剤層を介して剥離可能にかつ切断可能に粘着保持されている。
【００１４】
ii) 上記転写マーク層は、接着性を有する透明性材料からなる被マーク形成層と、上記基材テープの走行方向へ所定間隔をもって連続的に配列されてなる多数のマークからなるマーク配列層と、加圧接着性を有する透明性材料からなる感圧接着剤層とが一体的に積層されてなり、この転写マーク層が、上記基材テープの離型処理された表面に、上記被マーク形成層を介して剥離可能にかつ切断可能に粘着保持されている。
【００１５】
iii)  上記転写マーク層は、上記基材テープの走行方向へ所定間隔をもって連続的に配列されてなる多数のマークからなるマーク配列層と、加圧接着性を有する透明性材料からなる感圧接着剤層とが一体的に積層されてなり、この転写マーク層が、上記基材テープの離型処理された表面に、上記マーク配列層を介して剥離可能にかつ切断可能に粘着保持されている。
【００１６】
iv) 上記転写マーク層は、上記基材テープの走行方向へ所定間隔をもって連続的に配列されてなる多数のマークからなるマーク配列層と、加圧接着性を有する透明性材料からなる感圧接着剤層とが一体的に積層されてなり、この転写マーク層が、上記基材テープの接着処理された表面に、上記マーク配列層を介して剥離可能にかつ切断可能に粘着保持されている。
【００１７】
さらに、上記区切り体感手段としては、以下のような各種態様が採用される。
【００１８】
(a) 上記区切り体感手段は、相隣接する上記転写マーク層間における上記基材テープの表面からなる体感用滑り部であり、上記マーク転写動作において、上記体感用滑り部が上記マーク転写具の転写ヘッドの先端縁に係合したとき、上記体感用滑り部と上記被転写部との間に滑りが生じて、一つの転写マークの転写完了位置を体感表示するように構成されている。
【００１９】
(b) 上記区切り体感手段は、上記転写マーク層の表面に、相隣接する転写マーク間に対応して形成された体感用滑り部であり、上記マーク転写動作において、上記体感用滑り部が上記マーク転写具の転写ヘッドの先端縁に係合したとき、上記体感用滑り部と上記被転写部との間に滑りが生じて、一つの転写マークの区切り位置を体感表示するように構成されている。
【００２０】
(c)  上記区切り体感手段は、上記基材テープの裏面に、相隣接する転写マーク間に形成された体感用凹部であり、上記マーク転写動作において、上記体感用凹部が上記マーク転写具の転写ヘッドに設けられた上記体感用係合部に凹凸係合したとき、テープ走行動作に引っ掛かり現象が生じて、一つの転写マークの区切り位置を体感表示するように構成されている。
【００２１】
(d) 上記区切り体感手段は、上記マーク転写テープにおいて相隣接する転写マーク間に形成された複数の体感用凸部であり、上記マーク転写動作において、上記複数の体感用凸部間に上記マーク転写具の転写ヘッドに設けられた上記体感用係合部が凹凸係合したとき、テープ走行動作に引っ掛かり現象が生じて、一つの転写マークの転写完了位置を体感表示するように構成されている。
【００２２】
本発明のマーク転写具により、マーク転写テープ上の転写マークを紙面等における所望の被転写部上に転写するには、上記ケースを手指にて把持して、転写ヘッドの先端加圧部を上記被転写部上に密着状に押し当てて、そのままケースを紙面等に沿って移動させることで、転写マークが転写される。
【００２３】
具体的には、上記マーク転写テープに設けられている区切り体感手段が転写ヘッドの体感用係合部と係合した状態で、転写ヘッドを上記被転写部上の転写開始端に密着状に押し当てて、そのままケースを紙面等に沿って移動させ、次の区切り体感手段が上記体感用係合部と係合し、この係合部位に滑り現象またはマーク転写テープの走行動作に引っ掛かり現象が生じたところで停止させる。
【００２４】
以上の操作により、上記転写ヘッドの先端加圧部におけるマーク転写テープの転写マークが、上記基材テープから剥離して上記被修正部分上に正確に転写され、また、転写マークが剥離された使用後のマーク転写テープつまり基材テープは上記巻取リールに巻取り回収される。
【００２５】
【発明の実施の形態】
以下、本発明の実施形態を図面に基づいて詳細に説明する。
図１〜図２２に本発明に係るマーク転写具が示されており、図面全体にわたって同一の符号は同一の構成部材または要素を示している。
【００２６】
実施形態１
本実施形態に係るマーク転写具が図１から図７に示されている。このマーク転写具１は、具体的にはマーク転写テープＴ上に配列形成された文字、符号または図形あるいはこれらの組み合わせ等の薄膜状の転写マーク（図示の場合は「ＳＥＥＤ」という英文字マーク）Ｍ，Ｍ，…を紙面等に転写するためのものであって、消耗品としてのマーク転写テープＴが交換可能なカートリッジ式の構造を備えてなるリフィルタイプのものである。
【００２７】
すなわち、マーク転写具１は、図１に示すような外観形状を呈するケース２に、図２および図３に示すように、転写ヘッドＨを備えるテープカートリッジＣが装着されてなる。
【００２８】
ケース２は片手による手持ち操作可能なもので、図示のごとく、テープカートリッジＣを内装し得る正面輪郭形状寸法と幅寸法を備える偏平な箱状とされ、その対向する一対の扁平な表裏面２ａ，２ｂが手持ち操作時の基準的な把持面とされている。このケース２は、射出成形等により一体成形されたプラスチック製のものであって、ケース本体４とキャップ体５が分離開閉可能とされるとともに、ケース本体４に、上記テープカートリッジＣが取外し可能に装着される構造とされている。また、これらケース２の先端部には、転写ヘッドＨを内外に挿通するヘッド挿通部６が形成される。
【００２９】
テープカートリッジＣは消耗品として交換可能な構成部品である。テープカートリッジＣは、カートリッジケース１０に、マーク転写テープＴを巻装した繰出リール１１と使用後のマーク転写テープＴを回収する回転可能な巻取リール１２とが回転可能に装着されるとともに、マーク転写テープＴを被転写部上に加圧転写する転写ヘッドＨがそのヘッド軸心まわりに回転可能に装着されてなる。
【００３０】
また、具体的には図示しないが、テープカートリッジＣには、繰出リール１１と巻取リール１２とを相互に連動するテープ連動部や、繰出リール１１と巻取リール１２におけるマーク転写テープＴの繰出速度と巻取速度を同期させるクラッチ機構などの主要基本構成部もユニット化されて装置されている。
【００３１】
カートリッジケース１０は、上記両リール１１、１２を収納するカートリッジケースの形態とされた合成樹脂製のものであって、その形状寸法は、上記両リール１１，１２の保持機能を備える範囲内において、できる限り軽量かつコンパクトになるように設定されており、具体的には、大部分が細い骨組材からなる骨組構造を備えてなる。
【００３２】
マーク転写テープＴは、上記転写マークＭを連続供給するもので、基材テープ１５の表面に、感圧接着性を有する転写マークＭが所定間隔をもって連続的にかつ剥離可能に配置保持されている。各転写マークＭ，Ｍ間には、転写マークＭの区切り位置を示す区切り体感手段２０が配されるとともに、これに対応して、転写ヘッドＨのテープ走行部には、この区切り体感手段２０と係合する体感用係合部２１が設けられている。
【００３３】
図示の実施形態においては、マーク転写テープＴは、図５に示すような断面構造を有し、基材テープ１５の表面（図５(b),(c) においては下面）側に、多数の転写マークＭ，Ｍ，…からなる転写マーク層１６が剥離可能に粘着保持されてなる。なお、図面は理解を容易にすることを主眼として、模式的にかつ厚さ方向に大幅に拡大して描かれているが、実際には、マーク転写テープＴの厚さは薄肉のフィルム状のもので、かつ各層の境界も図示のものほど明確ではない。
【００３４】
基材テープ１５は、その表裏両面に離型処理が施された、つまり重なり合う隣接の層または材料との分離または剥離性を付与する表面処理が施された、プラスチック材料や紙材料からなるフィルム状テープの形態とされ、伸縮のない可撓性フィルムが好適に採用される。
【００３５】
転写マーク層１６は、被マーク形成層１７、マーク配列層１８および感圧接着剤層１９が一体的に積層されてなる積層構造とされている。また、この転写マーク層１６は、基材テープ１５の全長にわたって連続して、換言すれば各転写マークＭ，Ｍ，…間が連続して形成されており、マーク転写時における転写ヘッドＨの転写操作により適宜切断される構成とされている。
【００３６】
被マーク形成層１７は、マーク配列層１８の形成（具体的には印刷形成）を容易にするとともに、転写マーク層１６を基材テープ１５の表面に粘着保持させる機能を有し、また、転写マークＭの転写後において、その表面層を形成する。この被マーク形成層１７の構成材料は、接着性を有する透明性材料からなる。つまり、被マーク形成層１７は、上記基材テープ１５の離型処理された表面に対してある程度の接着保持性を有するとともに、離型後の表面層に適したいわゆるドライタイプでかつ透視可能な透明性を有する粘着剤が好適に採用される。
【００３７】
マーク配列層１８は、基材テープ１５の走行方向へ所定間隔をもって連続的にかつ剥離可能に配列されてなる多数のマーク（図示の場合は「ＳＥＥＤ」という英文字マーク）Ｍ´、Ｍ´、Ｍ´…からなり、具体的には、上記被マーク形成層１７上に従来公知の印刷技術により形成される。
【００３８】
マーク配列層１８の印刷方法としては、従来公知の各種印刷技術、具体的には、活版（凸版）印刷、オフセット印刷、グラビア（凹版）印刷、シルクスクリーン印刷等の伝統的な印刷技術をはじめ、レーザプリンタ方式、熱転写方式、インクジェットプリンタ方式等の新印刷技術も採用可能で、形成対象部分（図示の場合は上記被マーク形成層１７）の性状等に対応して適宜選択採用される。
【００３９】
感圧接着剤層１９は、転写マーク層１６を被転写部上に加圧接着させるとともに、転写前のマーク転写テープＴの表面層を形成するものであり、この感圧接着剤層１９の構成材料は、加圧接着性を有する透明性材料からなる。つまり、感圧接着剤層１９は、被転写部に対して加圧接着性を有するとともに、離型前の表面層に適したいわゆるドライタイプでかつ透視可能な透明性を有する粘着剤が好適に採用される。
【００４０】
このような積層構造とされた転写マーク層１６は、図５に示すように、基材テープ１５の離型処理された表面（図５(b),(c) においては下面）に、上記被マーク形成層１７を介して剥離可能にかつ切断可能に粘着保持されている。
【００４１】
また、上記区切り体感手段２０は、具体的には、図５に示すごとく転写マーク層１６の表面（図５(b),(c) の下面）側に印刷形成された体感用滑り部の形態とされており、その印刷方法は、上記マーク配列層１８と同様、従来公知の各種印刷技術が用いられる。
【００４２】
この体感用滑り部２０は、上記転写マーク層１６の相隣接する転写マークＭ，Ｍ間に対応して形成され、例えば、上記転写マーク層１６における感圧接着剤層１９の表面に従来公知の印刷処理により形成される。
【００４３】
体感用滑り部２０は、基材テープ１５の表裏両面に施された離型処理と同様な滑り特性を有し、感圧接着剤層１９の表面を被覆して、この部位の被転写部に対する加圧接着性を消滅させている。また、体感用滑り部２０は、被マーク形成層１７や感圧接着剤層１９と同様な透明性を有する離型性材料からなる。
【００４４】
体感用滑り部２０の具体的な形成箇所は、前記転写ヘッドＨの体感用係合部２１に対応して設定され、後述するマーク転写具１のマーク転写動作において、体感用滑り部２０が体感用係合部２１に係合したとき、この係合部位に滑り現象が生じて、一つの転写マークＭの区切り位置、図示の実施形態においては転写完了位置を体感表示するように設定される。
【００４５】
この体感用滑り部２０に対応する体感用係合部２１は、転写ヘッドＨのテープ走行部に設けられ、図示の実施形態においては、転写ヘッドＨの先端縁つまり先端加圧部２５が上記体感用係合部２１としての機能を兼備している。
【００４６】
すなわち、上記繰出リール１１から繰り出されるマーク転写テープＴは、上記転写ヘッドＨの片側テープ走行面に沿って先端加圧部２５へ案内された後、この先端加圧部２５を経由して反転され、さらに反対側テープ走行面に沿って案内されて、巻取リール１２に巻回されており、図４(a) 、(b) に示すように、マーク転写テープＴの体感用滑り部２０が転写ヘッドＨの先端加圧部２５（２１）に係合したとき、この係合部位に滑り現象が生じて、一つの転写マークＭの転写完了位置を体感表示するように構成されている。
【００４７】
具体的には、マーク転写テープＴの体感用滑り部２０が転写ヘッドＨの先端加圧部２５（２１）に係合すると、体感用滑り部２０と被転写部との間に滑りが生じて、マーク転写テープＴの走行が停止することとなり、マーク転写動作が不能な状態となって、使用者は一つの転写マークＭの転写完了位置を体感することができる。次の転写マークＭの転写動作を開始するには、後述するように、転写ヘッドＨの先端加圧部２５を上記被転写部に対して若干強めに押し当てながら、被転写部上を移動させることで、マーク転写テープＴの走行が再開されて、マーク転写動作が可能となる。
【００４８】
なお、図示の実施形態のマーク転写テープＴは、図５(a) に示すように、複数のマーク転写テープＴ、Ｔ、…のテープ幅寸法を有する帯状体として製作された後、スリッタ等の切断装置により、一本のテープＴ幅に切断されて形成される。
【００４９】
また、転写マーク層１６の具体的な形成方法は、基材テープ１５の表面に、被マーク形成層１７を塗布形成した後、この被マーク形成層１７の表面にマーク配列層１８を印刷形成し、さらに、この上から感圧接着剤層１９を塗布形成し、最後に、感圧接着剤層１９の表面に体感用滑り部２０を印刷形成する。
【００５０】
転写ヘッドＨは、マーク転写テープＴを紙面等の被修正部上に加圧するもので、上記カートリッジケース１０の先端部に設けられており、マーク転写テープＴを案内する機能と加圧する機能を兼備する。
【００５１】
転写ヘッドＨの具体的構造は、ヘッド本体３０、ヘッド保持部３１および回転操作部３２を備えてなるとともに、上記ヘッド本体３０がその軸心まわりに回転可能に保持されたいわゆる回転ヘッド構造とされている。
【００５２】
ヘッド本体３０は、マーク転写テープＴを加圧転写するもので、所望の転写位置に的確に転写するのに適した形状、つまり、その先端がある程度尖ったいわゆる尖頭形とされている。
【００５３】
図示の実施形態のヘッド本体３０は、マーク転写テープＴよりも若干幅広の矩形状を有する薄肉の板状体とされるとともに、側面から見てある程度尖った形状、つまり先端に向けて次第に薄くなるような先細のテーパ形状断面を有してなる。ヘッド本体３０は、その平坦な両側面３０ａ，３０ｂがテープ走行面を形成するとともに、その先端縁２５が、上述したようにマーク転写テープＴを加圧する先端加圧部とされ、かつ上記体感用係合部２１としての機能を兼備している。この先端加圧部２５は、上記テープ走行面３０ａ，３０ｂにおけるテープ走行方向に直交する直線縁の形態とされている。また、ヘッド本体３０の両側縁には、マーク転写テープＴの走行を案内するガイドフランジ３３，３３が形成されている。
【００５４】
なお、ヘッド本体３０を構成する板状体の肉厚が比較的小さい場合には、必ずしも図示のようなテーパをもった形状とせずに、前後方向全体にわたって同一の肉厚を有する形状でも良く、要するに、上記ヘッド本体３０の先端加圧部２５が的確に転写箇所を位置決め指示できる程度の厚さ（尖り度）を有する構造とされていれば良い。
【００５５】
また、上記ヘッド本体３０の基端側部位に本体支持部としての被軸受部３５が一体形成されている。
【００５６】
ヘッド保持部３１は、上記ヘッド本体３０をその軸心まわりに回転可能に軸支するもので、具体的には、上記本体支持部である被軸受部３５と、カートリッジケース１０に設けられた軸受部３６とを備えてなる。
【００５７】
被軸受部３５は、図６に示すように、ヘッド本体３０と同心状にかつ一体的に設けられた円筒状のもので、具体的には、その一部にヘッド本体３０へのマーク転写テープＴのセッティング開口３５ａを有する断面円弧形状に形成されている。
【００５８】
軸受部３６は、カートリッジケース１０の先端部に一体的に設けられている。この軸受部３６は、図６に示すように、上記被軸受部３５の外周面に対応した内周面を有する筒状のもので、被軸受部３５と同様、その一部にヘッド本体３０へのマーク転写テープＴのセッティング開口３６ａを有する断面円弧形状に形成されている。そして、この軸受部３６に被軸受部３５が摺動回転可能に軸支されて、ヘッド本体３０は、後述する所定の回転角度範囲内において、その軸心まわりに自由回転可能とされている。
【００５９】
回転操作部３２は、ヘッド本体３０の回転方向位置を位置決め操作するもので、また、ヘッド本体３０のテープ加圧転写姿勢を示すヘッド姿勢表示部を兼務する構成とされている。
【００６０】
回転操作部３２は、円柱棒の形態とされるとともに、その先端に操作つまみ４５ａを有する操作レバー４５を主要部として備える。この操作レバー４５は、被軸受部３５の軸心を中心として径方向外方へ直線状に延びて設けられるとともに、軸受部３６およびケース２の対応箇所にそれぞれ設けられたスリット状の挿通部４６および操作案内部４７を介して、ケース２の外部に突出状に臨んでいる。この場合、軸受部３６の挿通部４６は、ヘッド本体３０の軸方向への抜け止め部としても機能している。
【００６１】
また、上記操作レバー４５のヘッド本体３０に対する回転方向配設位置は、ヘッド本体３０のテープ加圧転写姿勢と関連付けて設定されるとともに、上記挿通部４６と操作案内部４７は、操作レバー４５のヘッド本体３０回転方向ヘの移動を許容すべく、周方向へ延びて設けられている。特に、ケース２の操作案内部４７は、操作レバー４５の回転方向操作範囲を規制して、ヘッド本体３０のテープ加圧転写姿勢を制御する構造とされている。
【００６２】
次に、操作レバー４５とヘッド本体３０のテープ加圧転写姿勢との関連付けについて、操作案内部４７との関係で説明する。図示の実施形態においては、操作案内部４７の回転方向操作範囲規制部としての構成は、図６を参照して、以下のように設定されている。
【００６３】
(a) 操作レバー４５が操作案内部４７の一方端４７ａに当接係合した状態つまり垂直下向き位置（図６(a) に示す第１の規制位置Ａ）にあるとき、転写ヘッドＨのヘッド本体３０は、その先端加圧部２５がマーク転写テープＴをケース２の把持面２ａ，２ｂに対しほぼ正対させて、つまり、マーク転写テープＴの表裏面が上記把持面２ａ，２ｂとほぼ同一方向に向く（平行する）ように、案内する角度位置にある。
【００６４】
この場合、繰出リール１１から繰り出される未使用のマーク転写テープＴは、上記ヘッド本体３０の下側にあり、右利きの人が横引き使用する場合等に適した状態にある（図７(a) 参照）。
【００６５】
(b) 操作レバー４５が操作案内部４７の両端４７ａ，４７ｂの中間位置にある状態つまり水平位置（図６(b) に示す第２の規制位置Ｂ）にあるとき、転写ヘッドＨのヘッド本体３０は、その先端加圧部２５がマーク転写テープＴを繰出リール１１と巻取リール１２の巻回姿勢のまま、つまり、マーク転写テープＴの表裏面が上記把持面２ａ，２ｂとほぼ垂直な方向に向く（直交する）ように、案内する角度位置にある。
【００６６】
この場合、繰出リール１１から繰り出される未使用のマーク転写テープＴは、上記ヘッド本体３０の左側にあり、縦引き使用する場合等に適した状態にある（図７(b) 参照）。
【００６７】
(c) 操作レバー４５が操作案内部４７の他方端４７ｂに当接係合した状態つまり垂直上向き位置（図６(c) に示す第３の規制位置Ｃ）にあるとき、転写ヘッドＨのヘッド本体３０は、上記（ａ）の場合と天地逆の状態で、その先端加圧部２５がマーク転写テープＴをケース２の把持面２ａ，２ｂに対しほぼ正対させて、案内する角度位置にある。
【００６８】
この場合、繰出リール１１から繰り出される未使用のマーク転写テープＴは、上記ヘッド本体３０の上側にあり、左利きの人が、例えば横引き使用する場合等に適した状態にある（図７(c) 参照）。
【００６９】
また、以上から明らかなように、操作レバー４５の向きが未使用のマーク転写テープＴの対面方向を直接的にかつ視覚的に表示しており（ヘッド姿勢表示部としての機能）、使用者は、この操作レバー４５の向きを頼りにして、ヘッド本体３０のテープ加圧転写姿勢を確認することができる。
【００７０】
なお、操作案内部４７の回転方向操作範囲（図示の場合は最大ほぼ１８０°）、は、操作レバー４５とヘッド本体３０のテープ加圧転写姿勢との関連付けを考慮して、小さな角度範囲から大きな角度範囲まで所望の値に種々設定可能である。
【００７１】
しかして、以上のように構成されたマーク転写具１により、マーク転写テープ上の転写マークを紙面等における所望の被転写部５０上に転写するには、前述したように、右利きか左利きかを問わず、操作レバー４５を目的に応じて回転操作して、最適な転写ヘッドＨのヘッド本体３０のテープ加圧転写姿勢（代表的には、図６(a) に示す第１の規制位置Ａ、図６(b) に示す第２の規制位置Ｂ、図６(c) に示す第３の規制位置Ｃ）を選択設定するとともに、その姿勢に対応したケース２の把持面（基準的な把持面はケース２の表裏面２ａ，２ｂであるが、目的に応じて把持面はケース２の適宜の箇所または面が担当することになる）を手指にて把持して、使用することにより、例えば図７(a) 〜(c) に示すような使用方法が可能となる。
【００７２】
つまり、いずれの使用方法においても、ケース２の把持面を手指にて筆記具を持つ姿勢で把持して、転写ヘッドＨの先端加圧部２５を紙面等の被転写部５０の転写開始端に密着状に押し当てて、そのままケース２を紙面等に沿って所定距離だけ移動させて停止させる。
【００７３】
具体的には、上記マーク転写テープＴに設けられている体感用滑り部２０が転写ヘッドＨの体感用係合部２１つまり先端加圧部２５と係合した状態つまり前回のマーク転写動作完了状態で、転写ヘッドＨを被転写部５０上の転写開始端に密着状に押し当てて、そのままケース２を紙面等に沿って移動させ、次の体感用滑り部２０が上記体感用係合部２１と係合し、この係合部位に滑り現象が生じたところで停止させる。
【００７４】
つまり、前述したように、マーク転写テープＴの体感用滑り部２０が転写ヘッドＨの先端加圧部２５に係合すると、体感用滑り部２０と被転写部５０との間に滑りが生じて、マーク転写テープＴの走行が停止することとなり、マーク転写動作が不能な状態となって、使用者は一つの転写マークＭの転写完了位置を体感することができる。
【００７５】
以上の操作により、転写ヘッドＨの先端加圧部２５におけるマーク転写テープＴの転写マークＭが、基材テープ１５から剥離して上記被修正部分５０上に転写されるとともに、転写マークＭが剥離された使用後のマーク転写テープＴつまり基材テープ１５は巻取リール１２に巻取り回収される。この場合、体感用滑り部２０が配された転写マーク層１６部分は、上記被修正部分５０には接着されず、基材テープ１５上に残存することになる。
【００７６】
また、この状態から、次の転写マークＭの転写動作を開始するには、転写ヘッドＨの先端加圧部２５を上記被転写部５０に対して若干強めに押し当てながら、被転写部上を移動させることで、マーク転写テープＴの走行が再開されて、マーク転写動作が可能となる。
【００７７】
なお、本実施形態のマーク転写具１においては、マーク転写テープＴが交換可能なカートリッジ式の構造を備えているから、異なる種類の転写マークＭ，Ｍ，…のマーク転写テープＴを備えたテープカートリッジＣを複数準備しておくことにより、適宜目的に応じた転写マークＭ，Ｍ，…の転写使用が可能である。
【００７８】
実施形態２
本実施形態は図８に示されており、実施形態１のマーク転写テープＴの構造が改変されたものである。
【００７９】
すなわち、実施形態１のマーク転写テープＴにおいては、前述したように、転写マーク層１６が基材テープ１５の全長にわたって連続して形成されているが、本実施形態のマーク転写テープＴにおいては、図８に示すように、転写マーク層１６を構成する転写マークＭ，Ｍ，…が、基材テープ１５の表面に、それぞれ独立してかつ所定間隔をもって剥離可能に粘着保持されている。
【００８０】
また、体感用滑り部２０は、上記転写マーク層１６における相隣接する転写マークＭ，Ｍ間における基材テープ１５の表面からなる。
【００８１】
しかして、以上のような構成において、実施形態１で説明した転写操作と同様に、体感用滑り部２０が転写ヘッドＨの体感用係合部２１と係合した状態で、転写ヘッドＨの先端加圧部２５を紙面等の被転写部５０の転写開始端に密着状に押し当てて、そのままケース２を紙面等に沿って移動させ、次の体感用滑り部２０が上記体感用係合部２１と係合し、この係合部位に滑り現象が生じたところで停止させる。
【００８２】
以上の操作により、マーク転写テープＴ上の一つの転写マークＭのみが、確実に基材テープ１５から剥離して、上記被修正部分５０上に転写される。
【００８３】
また、この状態から、次の転写マークＭの転写動作を開始するには、転写ヘッドＨの先端加圧部２５を上記被転写部５０に対して若干強めに押し当てながら、被転写部上を移動させることで、マーク転写テープＴの走行が再開されて、マーク転写動作が可能となる。
その他の構成および作用は実施形態１と同様である。
【００８４】
実施形態３
本実施形態は図９に示されており、実施形態２におけるマーク転写テープＴの具体的構造が若干改変されたものである。
【００８５】
すなわち、本実施形態のマーク転写テープＴにおいては、転写マーク層１６を構成する転写マークＭ，Ｍ，…が、基材テープ１５の表面に、それぞれ独立してかつ所定間隔をもって剥離可能に粘着保持されるとともに、各転写マークＭ，Ｍ同士が、細い連結層１６ａにより連結される構造とされている。この連結層１６ａの具体的な層構造は転写マーク層１６と同様であり、よって透明性を有する。図示の実施形態においては、各転写マークＭ，Ｍ同士は、幅方向両側縁部分が２本の細い連結層１６ａ、１６ａにより連結されている。
【００８６】
また、体感用滑り部２０は、実施形態２と同様、上記転写マーク層１６における相隣接する転写マークＭ，Ｍ間における基材テープ１５の表面からなる。
【００８７】
しかして、以上のような構成においては、その転写操作は実施形態２と同様であるが、一つの転写マークＭを転写した後の、次の転写マークＭを転写する際の転写開始動作がより容易である。
【００８８】
すなわち、相隣接する転写マークＭ，Ｍ同士は、２本の連結層１６ａ、１６ａにより連結されていることから、体感用滑り部２０が転写ヘッドＨの先端加圧部２５に係合して、体感用滑り部２０と被転写部５０との間に滑りが生じる状態にあるときも、マーク転写テープＴの基材テープ１５には上記２本の連結層１６ａ、１６ａの一部が残存している。
【００８９】
そして、次の転写マークＭの転写動作開始時には、これらの連結層１６ａ、１６ａの残存部分が、マーク転写テープＴに滑りを生じることなく走行再開を促す結果、マーク転写動作が円滑かつ確実に再開されることとなる。
その他の構成および作用は実施形態２と同様である。
【００９０】
実施形態４
本実施形態は図１０および図１１に示されており、実施形態１におけるマーク転写テープＴの具体的構造が若干改変されたものである。
【００９１】
すなわち、本実施形態のマーク転写テープＴにおいては、区切り体感手段６０が相隣接する転写マークＭ、Ｍ間に形成された体感用凹部の形態とされ、具体的には、マーク転写テープＴの幅方向の少なくとも一端部（図示の場合は両端部）に設けられた切欠とされている。この切欠６０は、応力集中による基材テープ１５の破断等を防止すべく円弧形状（図示の場合は半円）の切欠とされている。
【００９２】
また、これに対応して、転写ヘッドＨに設けられる体感用係合部６１は、上記切欠６０に凹凸係合可能な位置決め凸部とされている。
【００９３】
この位置決め凸部６１は、転写ヘッドＨのヘッド本体３０のテープ走行面３０ａ，３０ｂのうち、使用済みのマーク転写テープＴつまり基材テープ１５が走行案内される上側のテープ走行面３０ａの幅方向両側部位に設けられている。
【００９４】
位置決め凸部６１は、具体的には、ヘッド本体３０の成形と同時に一体形成された隆起状凸部の形態とされるとともに、その先端の係合部が上記切欠６０に対応した円弧輪郭形状を有する。この位置決め凸部６１の配設位置は、先端加圧部２５よりも若干後退した位置でかつマーク転写テープＴの幅方向両側位置に設定されている。
【００９５】
そして、マーク転写具１のマーク転写動作において、上記切欠６０，６０が上記位置決め凸部６１，６１にそれぞれ凹凸係合したとき、マーク転写テープＴの走行動作に引っ掛かり現象が生じて、一つの転写マークＭの転写完了位置を体感表示する。
その他の構成および作用は実施形態１と同様である。
【００９６】
なお、本実施形態のマーク転写テープＴも、実施形態１と同様、図１１(a) に示すように、複数のマーク転写テープＴ、Ｔ、…のテープ幅寸法を有する帯状体として製作された後、スリッタ等の切断装置により、一本のテープＴ幅に切断されて形成される。
【００９７】
したがって、実際には、基材テープ１５の表面側に転写マーク層１６が形成された後に、区切り体感手段６０が穴あけパンチ等の穴あけ装置により貫設されるから、この区切り体感手段６０は、マーク転写テープＴ全体に貫通して設けられることとなる。
【００９８】
実施形態５
本実施形態は図１２および図１３に示されており、実施形態４における体感用凹部（区切り体感手段）の具体的構造が若干改変されたものである。
【００９９】
すなわち、本実施形態の体感用凹部７０が、マーク転写テープＴにおいて相隣接する転写マークＭ，Ｍ間に設けられた切欠の形態であることは実施形態４と同様であるが、本実施形態の切欠７０は、マーク転写テープＴの幅方向の中央部に設けられた小孔とされ、この小孔７０は、応力集中による基材テープ１５の破断等を防止すべく円形状とされている。
【０１００】
これに対応して、転写ヘッドＨに設けられる体感用係合部７１も、上記小孔７０に凹凸係合可能な位置決め凸部とされている。
【０１０１】
この位置決め凸部７１は、具体的には、ヘッド本体３０の成形と同時に一体形成された隆起状凸部の形態とされるとともに、その外周輪郭が上記切欠７０に対応した円形状とされている。この位置決め凸部７１の配設位置は、先端加圧部２５よりも若干後退した位置でかつマーク転写テープＴの幅方向中央位置に設定されている。
その他の構成および作用は実施形態４と同様である。
【０１０２】
実施形態６
本実施形態は図１４および図１５に示されており、実施形態５における体感用凹部（区切り体感手段）の具体的構造が若干改変されたものである。
【０１０３】
すなわち、本実施形態の体感用凹部８０が、マーク転写テープＴの幅方向の中央部に設けられた凹部の形態であることは実施形態５と同様であるが、本実施形態の凹部８０は、マーク転写テープＴの裏面側の幅方向の中央部に設けられた凹陥部とされている。
【０１０４】
この凹陥部８０は、具体的には、基材テープ１５の一部が裏面側から表面側へ湾曲形成されてなるとともに、その外周輪郭が円形状とされている。
【０１０５】
これに対応して、転写ヘッドＨに設けられる体感用係合部８１も、上記凹陥部８０に凹凸係合可能な位置決め凸部とされている。
【０１０６】
この位置決め凸部８１は、具体的には、実施形態５の位置決め凸部７１と同様な構成とされた隆起状凸部の形態とされ、その外周輪郭は上記凹陥部８０に対応した円形状とされている。
その他の構成および作用は実施形態６と同様である。
【０１０７】
実施形態７
本実施形態は図１６および図１７に示されており、実施形態１におけるマーク転写テープＴの具体的構造が若干改変されたものである。
【０１０８】
すなわち、本実施形態のマーク転写テープＴにおいては、区切り体感手段９０が相隣接する転写マークＭ、Ｍ間に形成された複数の体感用凸部の形態とされている。これら体感用凸部９０は、具体的には、図１６に示すごとく転写マーク層１６の表面（図１６(b),(c) の下面）の二個所に隆起状に形成されている。
【０１０９】
これら二つの体感用凸部９０，９０は、上記転写マーク層１６の転写マークＭ，Ｍ間において、図１７(a) に示すように、マーク転写テープＴの幅方向へ平行に直線状に延びて設けられており、これら両体感用凸部９０，９０に、転写ヘッドＨの体感用係合部９１が凹凸係合可能とされている。
【０１１０】
図示の実施形態においては、実施形態１と同様、転写ヘッドＨの先端縁つまり先端加圧部２５がこの体感用係合部９１としての機能を兼備している（図示省略）。
【０１１１】
そして、マーク転写具１のマーク転写動作において、上記二つの体感用凸部９０，９０間に転写ヘッドＨの先端加圧部２５が係合したとき、マーク転写テープＴの走行動作に引っ掛かり現象が生じて、一つの転写マークＭの転写完了位置を体感表示するように構成されている
その他の構成および作用は実施形態１と同様である。
【０１１２】
なお、上記体感用凸部９０の具体的な形状や配列構造は、図１６および図１７(a) のものに限定されることなく、同様な機能を有する他の構成、例えば図１７(b) または(c) に示すような構成も採用可能である。
【０１１３】
すなわち、図１７(b) に示す構成は、三つの体感用凸部９０，９０、９０がマーク転写テープＴの幅方向へ平行に直線状に延びて設けられており、また、図１７(c) に示す構成は、円形状輪郭を有する隆起状の体感用凸部９０ａが複数個三列に平行して配されている。
【０１１４】
実施形態８
本実施形態は図１８に示されており、実施形態７におけるマーク転写テープＴの具体的構造が若干改変されたものである。
【０１１５】
すなわち、本実施形態の区切り体感手段１００が相隣接する転写マークＭ、Ｍ間に形成された複数の体感用凸部の形態とされていることは実施形態７と同様であるが、本実施形態の体感用凸部１００は、図１８に示すごとく転写マーク層１６の裏面（図１６(b),(c) の下面）の二個所に隆起状に形成されている。
【０１１６】
これら二つの体感用凸部９０，９０は、上記転写マーク層１６の転写マークＭ，Ｍ間において、図１７(a) に示すように、基材テープ１５の裏面の幅方向へ平行に直線状に延びて設けられており、これら両体感用凸部１００，１００間に、転写ヘッドＨの体感用係合部１０１が直接凹凸係合可能とされている。
その他の構成および作用は実施形態７と同様である。
【０１１７】
実施形態９
本実施形態は図１９に示されており、マーク転写具１の基本構造が改変されたものである。
【０１１８】
すなわち、前述した実施形態のマーク転写具１はいずれも、消耗品としてのマーク転写テープＴが交換可能なカートリッジ式つまりリフィル式の構造を備えものであったが、本実施形態のものは、消耗品としてのマーク転写テープＴを含めてすべての構成部品が消耗品とされてなる使い切りタイプの構造を備えている。
【０１１９】
本実施形態のマーク転写具１は、片手による手持ち操作可能なケース２内に、マーク転写テープＴを巻装した繰出リール１１と使用後のマーク転写テープＴを回収する巻取リール１２とが装着されてなるとともに、ケース２の先端部に、転写ヘッドＨがそのヘッド軸心まわりに回転可能に装着されてなる。この転写ヘッドＨの具体的構成は、その取り付け箇所を除いて、実施形態１と全く同様である。
【０１２０】
また、具体的には図示しないが、ケース２のケース本体４内には、上記繰出リール１１と巻取リール１２の他、これら両リール１１，１２を相互に連動するテープ連動部や、繰出リール１１と巻取リール１２におけるマーク転写テープＴの繰出速度と巻取速度を同期させるクラッチ機構などの主要基本構成部もユニット化されて装置されている。
その他の構成および作用は実施形態１と同様である。
【０１２１】
実施形態１０
本実施形態は図２０に示されており、マーク転写テープＴの構造が改変されたものである。
【０１２２】
すなわち、本実施形態のマーク転写テープＴは、図２０に示すように、基材テープ１５の表面（図２０(b),(c) においては下面）側に粘着保持される転写マーク層１６が、感圧接着剤層１９とマーク配列層１８との一体的な積層構造とされている。
【０１２３】
本実施形態においては、感圧接着剤層１９が、前述した実施形態１における被マーク形成層１７の機能を兼備しており、マーク配列層１８は、この被マーク形成層１７の表面に印刷形成される。
【０１２４】
そして、このような積層構造とされた転写マーク層１６は、図示のように、基材テープ１５の離型処理された表面（図２０(b),(c) においては下面）に、上記感圧接着剤層１９を介して剥離可能にかつ切断可能に粘着保持されている。
【０１２５】
なお、転写マーク層１６の具体的な形成方法は、基材テープ１５の表面に、体感用滑り部２０を印刷形成した後、その上から感圧接着剤層１９を塗布形成し、この感圧接着剤層１９の表面にマーク配列層１８を印刷形成する。
その他の構成および作用は実施形態１と同様である。
【０１２６】
実施形態１１
本実施形態は図２１に示されており、マーク転写テープＴの構造が改変されたものである。
【０１２７】
すなわち、本実施形態のマーク転写テープＴは、図２１に示すように、基材テープ１５の表面（図２１(b),(c) においては下面）側に粘着保持される転写マーク層１６が、マーク配列層１８と感圧接着剤層１９との一体的な積層構造とされており、実施形態１のマーク転写テープＴにおける被マーク形成層１７が省略された構造とされている。
【０１２８】
換言すれば、マーク配列層１８は、基材テープ１５の離型処理された表面に直接印刷形成されており、したがって、マーク転写時には、このマーク配列層１８が基材テープ１５の表面から剥離して、直接表面層を形成することになる。
その他の構成および作用は実施形態１と同様である。
【０１２９】
実施形態１２
本実施形態は図２２に示されており、実施形態１０のマーク転写テープＴの構造が若干改変されたものである。
【０１３０】
すなわち、本実施形態のマーク転写テープＴにおいては、図２２に示すように、基材テープ１５の表面（図２２(b),(c) においては下面）が接着処理１１０されて、この表面にマーク配列層１８が直接印刷形成される構成とされている。そして、マーク転写時には、このマーク配列層１８が基材テープ１５の表面から剥離して、直接表面層を形成することになる。
その他の構成および作用は実施形態１０と同様である。
【０１３１】
なお上述した実施形態はあくまでも本発明の好適な実施態様を示すものであって、本発明はこれに限定されることなく、その範囲内で種々の設計変更が可能である。
【０１３２】
【発明の効果】
以上詳述したように、本発明のマーク転写具は、マーク転写テープ上の転写マークを紙面等に転写するためのマーク転写具であって、片手による手持ち操作可能なケースと、このケース内に回転可能に装着されて、マーク転写テープを巻装した繰出リールと、上記ケース内に回転可能に装着されて、使用後のマーク転写テープを回収する回転可能な巻取リールと、上記ケースの先端部分に配設されて、上記繰出リールから繰出されるマーク転写テープを被転写部上に加圧転写する転写ヘッドとを備えてなり、上記マーク転写テープは、基材テープの表面に、感圧接着性を有する転写マークが所定間隔をもって連続的にかつ剥離可能に配置保持されるとともに、各転写マーク間には、転写マークの区切り位置を示す区切り体感手段が配されており、上記転写ヘッドのテープ走行部に、上記マーク転写テープの区切り体感手段と係合可能な体感用係合部が設けられているから、文字、符号または図形あるいはこれらの組み合わせ等からなる各種マークについて、スタンプの形態による押印使用や、マークシールの形態による貼着使用などの、従来のマーク使用技術と全く異なる新規なマーク転写技術を提供することができ、一般ユーザの嗜好の多様化にも有効に対応することができる。
【０１３３】
すなわち、本発明のマーク転写具により、マーク転写テープ上の転写マークを紙面等における所望の被転写部上に転写するには、マーク転写具のケースを手指にて把持して、転写ヘッドの先端加圧部を上記被転写部上に密着状に押し当てて、そのままケースを紙面等に沿って移動させることで、転写マークが転写される。
【０１３４】
具体的には、上記マーク転写テープに設けられている区切り体感手段が転写ヘッドの体感用係合部と係合した状態で、転写ヘッドを上記被転写部上の転写開始端に密着状に押し当てて、そのままケースを紙面等に沿って移動させ、次の区切り体感手段が上記体感用係合部と係合し、この係合部位に滑り現象またはマーク転写テープの走行動作に引っ掛かり現象が生じたところで停止させる。
【０１３５】
以上の操作により、上記転写ヘッドの先端加圧部におけるマーク転写テープの転写マークが、上記基材テープから剥離して上記被修正部分上に正確に転写され、また、転写マークが剥離された使用後のマーク転写テープつまり基材テープは上記巻取リールに巻取り回収される。
【図面の簡単な説明】
【図１】本発明の実施形態１に係るマーク転写具を示す斜視図である。
【図２】同マーク転写具のケース本体内部を示す正面図である。
【図３】同マーク転写具を分解して示す斜視図である。
【図４】同マーク転写具の転写ヘッドの要部を示し、図４(a) は斜視図、図４(b) は平面図である。
【図５】同マーク転写具のマーク転写テープを示し、図５(a) は製造過程における同マーク転写テープを一部切開して示す平面図、図５(b) は同マーク転写テープの図５(a) におけるＶ−Ｖ線に沿った断面図、図５(c) は同じく同マーク転写テープの基材テープと転写マーク層が剥離する状態を示す断面図である。
【図６】同マーク転写具の転写用ヘッドの回転構造を一部断面で示す拡大正面図である。
【図７】同マーク転写具の使用状態を示す斜視図で、図７(a) は右手による横引き使用状態、図７(b) は左手による横引き使用状態、および図７(c) は右手による縦引き使用状態を示す。
【図８】本発明の実施形態２に係るマーク転写具のマーク転写テープを示し、図８(a) は製造過程における同マーク転写テープを一部切開して示す平面図、図８(b) は同マーク転写テープの図８(a) におけるVIII−VIII線に沿った断面図、図８(c) は同じく同マーク転写テープの基材テープと転写マーク層が剥離する状態を示す断面図である。
【図９】本発明の実施形態３に係るマーク転写具のマーク転写テープを示し、図９(a) は製造過程における同マーク転写テープを一部切開して示す平面図、図９(b) は同マーク転写テープの図９(a) におけるIX−IX線に沿った断面図、図９(c) は同じく同マーク転写テープの基材テープと転写マーク層が剥離する状態を示す断面図である。
【図１０】本発明の実施形態４に係るマーク転写具の転写ヘッドの要部を示し、図１０(a) は斜視図、図１０(b) は平面図、図１０(c) は一部を拡大して示す斜視図である。
【図１１】同マーク転写具のマーク転写テープを示し、図１１(a) は製造過程における同マーク転写テープを一部切開して示す平面図、図１１(b) は同マーク転写テープの図１１(a) におけるXI−XI線に沿った断面図、図１１(c) は同じく同マーク転写テープの基材テープと転写マーク層が剥離する状態を示す断面図である。
【図１２】本発明の実施形態５に係るマーク転写具の転写ヘッドの要部を示し、図１２(a) は斜視図、図１２(b) は平面図、図１２(c) は一部を拡大して示す斜視図である。
【図１３】同マーク転写具のマーク転写テープを示し、図１３(a) は製造過程における同マーク転写テープを一部切開して示す平面図、図１３(b) は同マーク転写テープの図１３(a) におけるXIII−XIII線に沿った断面図、図１３(c) は同じく同マーク転写テープの基材テープと転写マーク層が剥離する状態を示す断面図である。
【図１４】本発明の実施形態６に係るマーク転写具の転写ヘッドの要部を示し、図１４(a) は斜視図、図１４(b) は平面図、図１４(c) は一部を拡大して示す斜視図である。
【図１５】同マーク転写具のマーク転写テープを示し、図１５(a) は製造過程における同マーク転写テープを一部切開して示す平面図、図１５(b) は同マーク転写テープの図１３(a) におけるXV−XV線に沿った断面図、図１５(c) は同じく同マーク転写テープの基材テープと転写マーク層が剥離する状態を示す断面図である。
【図１６】本発明の実施形態７に係るマーク転写具のマーク転写テープを示し、図１６(a) は製造過程における同マーク転写テープを一部切開して示す平面図、図１６(b) は同マーク転写テープの図１６(a) におけるXVI −XVI 線に沿った断面図、図１６(c) は同じく同マーク転写テープの基材テープと転写マーク層が剥離する状態を示す断面図である。
【図１７】図１７(a) 〜(c) はそれぞれ同マーク転写テープの体感用凸部の構成を示す。
【図１８】本発明の実施形態８に係るマーク転写具のマーク転写テープを示し、図１８(a) は製造過程における同マーク転写テープを一部切開して示す平面図、図１８(b) は同マーク転写テープの図１８(a) におけるXVIII −XVIII 線に沿った断面図、図１８(c) は同じく同マーク転写テープの基材テープと転写マーク層が剥離する状態を示す断面図である。
【図１９】本発明の実施形態９に係るマーク転写具を分解して示す斜視図である。
【図２０】本発明の実施形態１０に係るマーク転写具のマーク転写テープを示し、図２０(a) は製造過程における同マーク転写テープを一部切開して示す平面図、図２０(b) は同マーク転写テープの図２０(a) におけるXX−XX線に沿った断面図、図２０(c) は同じく同マーク転写テープの基材テープと転写マーク層が剥離する状態を示す断面図である。
【図２１】本発明の実施形態１１に係るマーク転写具のマーク転写テープを示し、図２１(a) は製造過程における同マーク転写テープを一部切開して示す平面図、図２１(b) は同マーク転写テープの図２１(a) におけるXXI −XXI 線に沿った断面図、図２１(c) は同じく同マーク転写テープの基材テープと転写マーク層が剥離する状態を示す断面図である。
【図２２】本発明の実施形態１２に係るマーク転写具のマーク転写テープを示し、図２２(a) は製造過程における同マーク転写テープを一部切開して示す平面図、図２２(b) は同マーク転写テープの図２２(a) におけるXXII−XXII線に沿った断面図、図２２(c) は同じく同マーク転写テープの基材テープと転写マーク層が剥離する状態を示す断面図である。
【符号の説明】
Ｔ                  マーク転写テープ
Ｍ                  転写マーク
Ｍ´                マーク
Ｈ                  転写ヘッド
Ｃ                  テープカートリッジ
１                  マーク転写具
２                  ケース
１１                繰出リール
１２                巻取リール
１５                基材テープ
１６                転写マーク層
１７                保持用被マーク形成層
１８                マーク配列層
１９                感圧接着剤層
２０                体感用滑り部（区切り体感手段）
２１                体感用係合部
２５                転写ヘッドの先端加圧部（先端縁）
３０                ヘッド本体
５０                被転写部
６０                体感用凹部（区切り体感手段）
６１                位置決め凸部（体感用係合部）
７０                体感用凹部（区切り体感手段）
７１                位置決め凸部（体感用係合部）
８０                体感用凹部（区切り体感手段）
８１                位置決め凸部（体感用係合部）
９０                体感用凸部（区切り体感手段）
９１                体感用係合部
１００                体感用凸部（区切り体感手段）
１０１                体感用係合部
１１０              接着処理
【図１】
0004620270.tif 000002
【図２】
0004620270.tif 000003
【図３】
0004620270.tif 000004
【図４】
0004620270.tif 000005
【図５】
0004620270.tif 000006
【図６】
0004620270.tif 000007
【図７】
0004620270.tif 000008
【図８】
0004620270.tif 000009
【図９】
0004620270.tif 000010
【図１０】
0004620270.tif 000011
【図１１】
0004620270.tif 000012
【図１２】
0004620270.tif 000013
【図１３】
0004620270.tif 000014
【図１４】
0004620270.tif 000015
【図１５】
0004620270.tif 000016
【図１６】
0004620270.tif 000017
【図１７】
0004620270.tif 000018
【図１８】
0004620270.tif 000019
【図１９】
0004620270.tif 000020
【図２０】
0004620270.tif 000021
【図２１】
0004620270.tif 000022
【図２２】
0004620270.tif 000023